(57)【要約】【課題】大型のパネル状表示体の収納が可能な、軽量かつ、高剛性の搬送用プロテクターを提供する。また特別の配慮を必要とせずに、大型のパネル状表示体の的確な保護を可能にする。【解決手段】パネル状表示体を１台ずつ収納するとともに、固定して搬送するためのプロテクターとして、一定の断面形状を有する軽金属製の枠材１６を接合することにより、パネル状表示体１０を囲む大きさ、形状を有する剛体枠を形成し、上記の枠材１６は、実質的に閉じた断面形状を有するパイプ部１７と、パイプ部１７の一部から斜め外方へ延びた囲み部１８を有するものとし、剛体枠によって外周を囲まれているパネル状表示体１０を剛体枠に固定するために、パネル状表示体１０にあらかじめ備わっている相手部１２と結合する、結合子２１のための固定部材２２、２３を枠材のパイプ部の側に設ける。【選択図】          図１
0003124257.tif 000002
【実用新案登録請求の範囲】
【請求項１】
パネル状表示体を１台ずつ収納するとともに、固定して搬送するためのプロテクターであって、一定の断面形状を有する軽金属製の枠材を接合することにより、パネル状表示体を囲む大きさ、形状を有する剛体枠を形成し、上記の枠材は、実質的に閉じた断面形状を有するパイプ部と、パイプ部の一部から斜め外方へ延びた囲み部を有するものとし、剛体枠によって外周を囲まれているパネル状表示体を剛体枠に固定するために、パネル状表示体に備わっている相手部と結合する、結合子のための固定部材を枠材のパイプ部の側に設けたパネル状表示体の搬送用プロテクター。
【請求項２】
パイプ部は、剛体枠の枠面と平行な向きに扁平な長方形の断面形状を有しており、囲み部は、剛体枠の積み重ね時に接触可能な角度で、パイプ部の断面形状の外方の角部から伸びており、囲み部の外方の端部に、剛体枠の積み重ね時に支持部となる突端を有している請求項１記載のパネル状表示体の搬送用プロテクター。
【請求項３】
枠材のパイプ部の側に、１個又は２個以上の梁状の固定部材が、剛体枠の枠材と平行に設置されており、各固定部材には、パネル状表示体に備わっている相手部と一致する位置に、結合子を通すための小孔が形成されている請求項１記載のパネル状表示体の搬送用プロテクター。
【考案の詳細な説明】
【技術分野】
【０００１】
本考案は、パネル状表示体を１台ずつ収納するとともに、固定して搬送するためのプロテクターに関するものである。
【背景技術】
【０００２】
例えば、プラズマディスプレイ（ＰＤＰ）を搬送する場合、従来は、樹脂製のプロテクターが使用されてきた。しかし、プラズマディスプレイの大型化、軽量化に伴い、それ自体の剛性が低下してきたことを補うために、プロテクターに対して、剛性を高め、万全の保護を求められるようになってくると、プロテクターに関わる経費が問題化してくる。樹脂製のプロテクターは成形品であるから、成形金型の製作にかかる初期投資額は、サイズの拡大につれて高騰する。その反面、剛性の向上には限度があり、プロテクターの重量も著しく重いものとなる。
【０００３】
このような問題が顕著になったために、特開平１０−１９４３４４号に開示されているプラズマディスプレイユニット搬送用プロテクターのような発明が提案されている。同発明は、金属製とすることにより、大型化に伴う重量過大を抑制し、剛性の向上を図るものである。しかし、同発明のプロテクターは、電子機器即ちプラズマディスプレイユニットを覆う皿型にプロテクター本体を形成しているため、アルミ合金を使用しているとはいっても、なお軽量化と高剛性との両立を図り難いと考えられる。また、アルミ合金から成る材料費も安価とは言い難い。
【０００４】
また、液晶画面（ＬＣＤ）のプロテクターでは、例えば特開平１０−２１８２７９号の液晶表示装置用保護カバーが提案されており、同発明の場合は、液晶表示パネルから一定の距離をおいて配置されるカバー本体と、液晶表示装置の左右両側部を保持すべくカバー本体の両側に形成した保持部とから成る構成を有している。この発明の場合、カバー本体は塩化ビニルなどの樹脂製であるから、大型のものには不向きであり、また、液晶表示パネルは、スライドにより保持部に保持されるので、固定手段を設けないと搬送中に動いてしまう恐れがある。
【０００５】
【特許文献１】特開平１０−１９４３４４号
【特許文献２】特開平１０−２１８２７９号
【考案の開示】
【考案が解決しようとする課題】
【０００６】
本考案は以上の点に着目して成されたもので、その課題は、大型のパネル状表示体の収納が可能な、軽量かつ、高剛性の搬送用プロテクターを提供することである。また、本考案の他の課題は、特別の配慮を必要とせずに、大型のパネル状表示体の的確な保護を可能にすることである。
【課題を解決するための手段】
【０００７】
前記の課題を解決するため本考案は、パネル状表示体を１台ずつ収納するとともに、固定して搬送するためのプロテクターについて、一定の断面形状を有する軽金属製の枠材を接合することにより、パネル状表示体を囲む大きさ、形状を有する剛体枠を形成し、上記の枠材は、実質的に閉じた断面形状を有するパイプ部と、パイプ部の一部から斜め外方へ延びた囲み部を有するものとし、剛体枠によって外周を囲まれているパネル状表示体を剛体枠に固定するために、パネル状表示体に備わっている相手部と結合する、結合子のための固定部材を枠材のパイプ部の側に設けるという手段を講じたものである。
【０００８】
本考案が対象とする搬送用プロテクターは、前記したプラズマディスプレイ（ＰＤＰ）を搬送することを主な目的とするものである。しかし、それに限らず同じようにパネル状表示体である液晶画面（ＬＣＤ）なども、搬送対象となるものである。これらのパネル状表示体は、剛体枠に、１台ずつ収納することを原則とする。剛体枠を例えば２個繋ぎとすることも不可能ではないが、しかし、そのような場合にも剛体枠の１区画には１台のパネル状表示体が収納される。
【０００９】
剛体枠は、一定の断面形状を有する軽金属製の枠材を接合することにより、パネル状表示体を囲む大きさ、形状を有するものとして形成される。パネル状表示体を囲むという場合、パネル状表示体の４周を取り囲むことと、パネル状表示体のパネル正面の側とパネル背面の側を、共に囲み得る状態になっていること、つまりパネル状表示体の厚さを越える枠の太さを有していることが望まれる。
【００１０】
軽金属製の枠材を接合することは、例えば、直線状の枠材を、端部において突き合わせて溶接するような製作工程を含んでいる。軽金属は、アルミニウム、マグネシウム、ベリリウム、アルカリ金属およびアルカリ土金属を指すが、一般的にはアルミニウム合金に代表されるものと考えて良い。しかし、軽金属製の枠材としては、軽金属を主体とする材料で形成されている枠材を含む。つまり、軽金属と樹脂や木材等との複合材料から成る枠材を含むことができる。
【００１１】
上記の枠材は、実質的に閉じた断面形状を有するパイプ部と、パイプ部の一部から斜め外方へ延びた囲み部を有するものとする。このような枠材としては、上記の軽金属を抜き型などにより成形した型材が代表的なものであり、その型の断面形状の一部がパイプ部であり、囲み部であるわけである。この囲み部は、斜め外方へ伸びていることにより、パネル状表示体を収納し、また、取り出す操作を容易にし、さらに、積み重ね時には接触して相互に支え合う状態を作り出す。
【００１２】
パイプの断面形状は、角型、曲線型、不定形型、その他どのようなものでも良いが、剛性が損なわれない程度に閉じた断面形状を有することが望まれる。なお、パイプ部と一体の囲み部は、パネル状表示体を囲むという意味を持っている。パイプ部は、後述する例のように、剛体枠の枠面と平行な向きに扁平な長方形の断面形状を有しており、囲み部は、剛体枠の積み重ね時に接触可能な角度で、パイプ部の断面形状の外方の角部から伸びており、囲み部の外方の端部に、剛体枠の積み重ね時に支持部となる突端を有している構成を取ることができる。
【００１３】
そして、剛体枠によって外周を囲まれているパネル状表示体を、剛体枠に固定するために、パネル状表示体に備わっている相手部と結合する、結合子のための固定部材を枠材のパイプ部の側に設けるものとする。結合子とは、例えば、ねじ、ボルトの類である。枠材のパイプ部の側には、例えば、１個又は２個以上の梁状の固定部材を、剛体枠の枠材と平行に設置し、各固定部材には、パネル状表示体に備わっている相手部と一致する位置に、結合子を通すための小孔を形成することができる。小孔は、固定部材に多数形成し、その内のパネル状表示体に備わっている相手部と一致する位置にあるものだけを使用するようにしても良い。
【考案の効果】
【００１４】
本考案は上記のように構成されかつ作用するものであるから、一定の断面形状を有する軽金属製の枠材を接合した剛体枠を有するので、大型のパネル状表示体の収納が可能な、軽量かつ、高剛性の搬送用プロテクターを提供することができる。さらに、本考案によれば、パネル状表示体を囲む大きさ、形状を有する剛体枠によって外周を囲むことにより、大型のパネル状表示体を、特別の配慮を必要とせずに、的確に保護することができるという効果を奏する。
【考案を実施するための最良の形態】
【００１５】
以下図示の実施形態を参照して、本考案に係るパネル状表示体の搬送用プロテクターをより詳細に説明する。図において、１０はパネル状表示体を示しており、図示のパネル状表示体１０は横長長方形の正面形状を有し、前後には非常に薄い、いわゆるパネル形状を有している、大型のプラズマディスプレイ（ＰＤＰ）である。
【００１６】
図示では省略もされているが、このパネル状表示体１０は、特に背面側に多数の電子機器を露出していることがあり、それらは正面側のパネル面１１と共に保護されなければならない対象である。このため、図示の搬送用プロテクター１５は、パネル状表示体背面にあらかじめ備わっているところの相手部１２において接触するほかには、パネル状表示体１０と一切接触しない構造を取る。
【００１７】
本考案に係る搬送用プロテクター１５は、パネル状表示体１０を、１台ずつ収納する剛体枠を有している。剛体枠は、一定の断面形状を有するアルミニウム合金製の枠材１６を接合することにより、パネル状表示体１０を囲む大きさ、形状を有する軽量な構造を実現するものである。そして、図示の搬送用プロテクター１５は、一定の断面形状を有する枠材１７を、４本、端部を突き合わせて接合することによりパネル状表示体１０の４周を取り囲む大きさの長方形状に組み立てられ、必要な剛性を得ている。また、枠材１６は、パネル状表示体１０のパネル正面の側とパネル背面の側を、共に囲み得るように、全体としてパネル状表示体１０の厚さを越える太さを有している。
【００１８】
例示の枠材１６は、閉じた断面形状である剛体枠の枠面と平行な向きに扁平な長方形の断面形状を有するパイプ部１７と、パイプ部１７の一部から斜め外方へ延びた囲み部１８を有している。この枠材１７は、上記の軽金属を、断面形状の一部がパイプ部であり、囲み部である抜き型を用いて成形した型材から成るものである。図２参照。囲み部１８は、斜め外方へ伸びていることにより、全体としてパネル状表示体１０の厚さを越える枠の太さをパネル状表示体１０に与えるとともに、パネル状表示体１０を収納し、また、取り出す操作を容易にしている。さらに、積み重ね時には接触して相互に支え合う状態を作り出すために、囲み部１８の外方の端部に、剛体枠の積み重ね時に支持部となる突端１９を有している。
【００１９】
剛体枠によって外周を囲まれているパネル状表示体１０を、剛体枠に固定するために、パネル状表示体１０に備わっている相手部１２と結合する、結合子２１のための固定部材２２、２３を枠材１６のパイプ部１７の側に設ける。結合子２１は、例時の場合、ねじ、ボルトの類である。枠材１６のパイプ部１７の側には、数個の梁状の固定部材２２、２３を縦横に組み溶接している。図示の固定部材２３は、剛体枠の枠材１６と平行に設置し、パネル状表示体１０に備わっている相手部１２と一致する位置に、結合子１２を通すための小孔２４を形成している。小孔２４は固定部材２２、２３に多数形成し、その内の必要なものだけを使用するようにしても良い。
【００２０】
このように構成されている本考案の搬送用プロテクター１５は、その剛体枠によって囲まれた空間２５の内部に、前記のパネル状表示体１０を収めて固定する。固定するには、パネル状表示体１０に備わっている相手部１２と一致する小孔２４に結合し２１を差し込み、締め付けて結合する。図４、図５は搬送用プロテクター１５にパネル状表示体１０を収めて固定した状態を示しているが、各図によればパネル状表示体１０は、結合子２１により固定部材２２、２３の部分に取り付けられた箇所以外では、搬送用プロテクター１５に接触せず、隙間２６を保っていることが分かる。
【００２１】
パネル状表示体１０を収めて固定した搬送用プロテクター１５は、コンテナ２７の取り付け溝２８にセットされる。その取り付け溝２８は、搬送用プロテクター１５の枠体１６を受け入れて係合可能な形状を有しており、パネル状表示体１０を何物にも接触させることなくきっちりと収め、搬送することができる。パネル状表示体１０の搬送後に、搬送用プロテクター１５を回収する場合には、搬送用プロテクター１５を重ねてはめ合わせることができる（図６、図７）。
【図面の簡単な説明】
【００２２】
【図１】本考案に係るパネル状表示体の搬送用プロテクターの一例を示す斜視図。
【図２】図１のものの枠材を拡大して示す断面図。
【図３】同様にパネル状表示体を示すもので、Ａは部分Ｂに対する上面図、Ｂは正面図、Ｃは右側面図、ＤはＢの断面図。
【図４】本考案の搬送用プロテクターにパネル状表示体を収納したものをコンテナにセットした状態の断面図。
【図５】図４の一部を拡大して示す断面図。
【図６】本考案の搬送用プロテクターのみ重ねた状態を示す説明図。
【図７】図６の一部を拡大して示す断面図。
【符号の説明】
【００２３】
１０  パネル状表示体
１１  パネル面
１２  相手部
１５  搬送用プロテクター
１６  枠体
１７  パイプ部
１８  囲み部
１９  突端
２１  結合子
２２、２３  固定部材
２４  小孔
２５  空間
２６  隙間
【図１】
0003124257.tif 000003
【図２】
0003124257.tif 000004
【図３】
0003124257.tif 000005
【図４】
0003124257.tif 000006
【図５】
0003124257.tif 000007
【図６】
0003124257.tif 000008
【図７】
0003124257.tif 000009